(57)【特許請求の範囲】
【請求項１】
サイトリストの管理をコンピュータに実行させるサイトリスト管理プログラムであって、
接続されたクライアントのユーザの認証を行うユーザ認証ステップと、
前記ユーザ認証ステップで認証されたユーザにより予め登録されたサイトリストに基づいて、該サイトリストに含まれたサイトに関するアクセスの情報であるアクセス情報を含むサイトリストを、アクセス情報付きサイトリストとして作成するサイトリスト作成ステップと
を有し、
前記サイトリスト作成ステップは、前記アクセス情報付きサイトリストに示されたフィードであるサイトに関するとともに該フィード内のアイテムへのアクセスの履歴とクライアントによるアクセスの環境であるアクセス環境とを含むアクセス履歴を前記クライアントから取得し、該アクセス履歴の管理を行い、該アクセス履歴に基づいて前記アクセス情報を作成すること
をコンピュータに実行させるサイトリスト管理プログラム。
【請求項２】
請求項１に記載のサイトリスト管理プログラムであって、
前記サイトリスト作成ステップは、前記アクセス履歴に基づいてサイト毎に評価値を付与し、該評価値を前記アクセス情報付きサイトリストに含めることを特徴とするサイトリスト管理プログラム。
【請求項３】
請求項１に記載のサイトリスト管理プログラムであって、
前記サイトリスト作成ステップは、前記アクセス履歴に基づいてサイト毎に評価値を付与し、該評価値に基づいて前記アクセス情報付きサイトリスト内のサイトの並べ替えを行うことを特徴とするサイトリスト管理プログラム。
【請求項４】
請求項２または請求項３に記載のサイトリスト管理プログラムであって、
前記サイトリスト作成ステップは、現在のアクセス環境を取得し、前記アクセス履歴におけるアクセス環境が前記現在のアクセス環境に一致するサイトの評価値を増加させることを特徴とするサイトリスト管理プログラム。
【請求項５】
請求項２乃至請求項４のいずれか１項に記載のサイトリスト管理プログラムであって、
前記サイトリスト作成ステップは、前記評価値が所定の条件を満たすサイトに含まれるカテゴリを取得し、該カテゴリと同一のカテゴリを含むサイトの評価値を増加させることを特徴とするサイトリスト管理プログラム。
【請求項６】
サイトリストの管理を行うサイトリスト管理装置であって、
接続されたクライアントのユーザの認証を行うユーザ認証部と、
前記ユーザ認証部で認証されたユーザにより予め登録されたサイトリストに基づいて、該サイトリストに含まれたサイトに関するアクセスの情報であるアクセス情報を含むサイトリストを、アクセス情報付きサイトリストとして作成するサイトリスト作成部と
を備え、
前記サイトリスト作成部は、前記アクセス情報付きサイトリストに示されたフィードであるサイトに関するとともに該フィード内のアイテムへのアクセスの履歴とクライアントによるアクセスの環境であるアクセス環境とを含むアクセス履歴を前記クライアントから取得し、該アクセス履歴の管理を行い、該アクセス履歴に基づいて前記アクセス情報を作成する
サイトリスト管理装置。
【請求項７】
サイトリストの管理を行うサイトリスト管理方法であって、
サイトリスト管理装置が、接続されたクライアントのユーザの認証を行うユーザ認証ステップと、
前記サイトリスト管理装置が、前記ユーザ認証ステップで認証されたユーザにより予め登録されたサイトリストに基づいて、該サイトリストに含まれたサイトに関するアクセスの情報であるアクセス情報を含むサイトリストを、アクセス情報付きサイトリストとして作成するサイトリスト作成ステップと
を有し、
前記サイトリスト作成ステップは、前記アクセス情報付きサイトリストに示されたフィードであるサイトに関するとともに該フィード内のアイテムへのアクセスの履歴とクライアントによるアクセスの環境であるアクセス環境とを含むアクセス履歴を前記クライアントから取得し、該アクセス履歴の管理を行い、該アクセス履歴に基づいて前記アクセス情報を作成すること
を実行するサイトリスト管理方法。
【発明の詳細な説明】
【技術分野】
【０００１】
本発明は、ネットワーク上のコンテンツを効率的に参照するためのサイトリスト管理プログラム、サイトリスト管理装置、サイトリスト管理方法に関するものである。
【背景技術】
【０００２】
インターネットやイントラネット上には、ニュース、掲示板、ブログなど、更新頻度の早い記事が存在する。また、１人のユーザが、職場、家庭、移動中などにより異なるアクセス環境を通して、同一の記事を参照する場合がある。ここで、アクセス環境とは、ＰＣ（Personal Computer）、携帯電話、ＰＤＡ（Personal Digital Assistant）、カーナビ（Car Navigation System）などのクライアントタイプやアクセス速度［ｂｐｓ］などを表す。アクセス環境毎に、記事のサイトリストの登録を行っていた。また、サーバ側でサイトリストの管理を行う場合、サイトリスト中の記事の既読／未読を示す情報の管理を行っていた。
【０００３】
なお、本発明の関連ある従来技術として、情報蓄積サーバが、ユーザに関するインターネットの利用ログを取得し、一括して管理するアクセス履歴管理システムがある（例えば、特許文献１参照）。また、カテゴリ別のサンプル文書から分類方法を学習し、文書の自動分類を行うテキスト情報自動分類装置がある（例えば、特許文献２、特許文献３参照）。
【特許文献１】特開２００１−３４４１９６号公報
【特許文献２】特開２００２−２０２９８４号公報
【特許文献３】特開２００２−００７４３３号公報
【発明の開示】
【発明が解決しようとする課題】
【０００４】
しかしながら、ユーザは、アクセス環境が変わると、ある記事の既読／未読を正確に判断することができなかった。
【０００５】
本発明は上述した問題点を解決するためになされたものであり、ユーザ毎にサイトリストとサイトリスト内のサイトに関するアクセス情報とを一元管理するサイトリスト管理プログラム、サイトリスト管理装置、サイトリスト管理方法を提供することを目的とする。
【課題を解決するための手段】
【０００６】
上述した課題を解決するため、本発明は、サイトリストの管理をコンピュータに実行させるサイトリスト管理プログラムであって、接続されたクライアントのユーザの認証を行うユーザ認証ステップと、前記ユーザ認証ステップで認証されたユーザにより予め登録されたサイトリストに基づいて、該サイトリストに含まれたサイトに関するアクセスの情報であるアクセス情報を含むサイトリストを、アクセス情報付きサイトリストとして作成するサイトリスト作成ステップとをコンピュータに実行させるものである。
【０００７】
また、本発明に係るサイトリスト管理プログラムであって、前記サイトリスト作成ステップは、前記アクセス情報付きサイトリストに示されたサイトに関するアクセス履歴を前記クライアントから取得し、該アクセス履歴の管理を行い、該アクセス履歴に基づいて前記アクセス情報を作成することを特徴とするものである。
【０００８】
また、本発明に係るサイトリスト管理プログラムであって、前記サイトは、フィードであり、前記アクセス履歴は、該フィード内のアイテムへのアクセスの履歴を含むことを特徴とするものである。
【０００９】
また、本発明に係るサイトリスト管理プログラムであって、前記アクセス履歴は、クライアントによるアクセスの環境であるアクセス環境を含むことを特徴とするものである。
【００１０】
また、本発明に係るサイトリスト管理プログラムであって、前記サイトリスト作成ステップは、前記アクセス履歴に基づいてサイト毎に評価値を付与し、該評価値を前記アクセス情報付きサイトリストに含めることを特徴とするものである。
【００１１】
また、本発明に係るサイトリスト管理プログラムであって、前記サイトリスト作成ステップは、前記アクセス履歴に基づいてサイト毎に評価値を付与し、該評価値に基づいて前記アクセス情報付きサイトリスト内のサイトの並べ替えを行うことを特徴とするものである。
【００１２】
また、本発明に係るサイトリスト管理プログラムであって、前記サイトリスト作成ステップは、現在のアクセス環境を取得し、前記アクセス履歴におけるアクセス環境が前記現在のアクセス環境に一致するサイトの評価値を増加させることを特徴とするものである。
【００１３】
また、本発明に係るサイトリスト管理プログラムであって、前記サイトリスト作成ステップは、前記評価値が所定の条件を満たすサイトに含まれるカテゴリを取得し、該カテゴリと同一のカテゴリを含むサイトの評価値を増加させることを特徴とするものである。
【００１４】
また、本発明に係るサイトリスト管理プログラムであって、前記アクセス環境は、クライアントタイプ、アクセス速度、アクセス時間帯のいずれかを含むことを特徴とするものである。
【００１５】
また、本発明に係るサイトリスト管理プログラムであって、前記サイトリスト作成ステップは、前記ユーザ認証ステップで認証されたユーザによるフィード内のアイテムへのアクセスの有無を識別するための情報をアクセス情報とすることを特徴とするものである。
【００１６】
また、本発明は、サイトリストの管理を行うサイトリスト管理装置であって、接続されたクライアントのユーザの認証を行うユーザ認証部と、前記ユーザ認証部で認証されたユーザにより予め登録されたサイトリストに基づいて、該サイトリストに含まれたサイトに関するアクセスの情報であるアクセス情報を含むサイトリストを、アクセス情報付きサイトリストとして作成するサイトリスト作成部とを備えたものである。
【００１７】
また、本発明は、サイトリストの管理を行うサイトリスト管理方法であって、サイトリスト管理装置において、接続されたクライアントのユーザの認証を行うユーザ認証ステップと、前記サイトリスト管理装置において、前記ユーザ認証ステップで認証されたユーザにより予め登録されたサイトリストに基づいて、該サイトリストに含まれたサイトに関するアクセスの情報であるアクセス情報を含むサイトリストを、アクセス情報付きサイトリストとして作成するサイトリスト作成ステップとを実行するものである。
【００１８】
また、本発明に係るサイトリスト管理方法であって、更に、前記サイトリスト作成ステップの後、前記クライアントにおいて、前記サイトリスト作成ステップにより作成されたアクセス情報付きサイトリストを取得し、該アクセス情報付きサイトリストに含まれたサイトに関するアクセスを行い、該アクセスに関するアクセス履歴を前記サイトリスト管理装置へ送信するアクセス履歴送信ステップと、前記サイトリスト管理装置において、前記アクセス履歴送信ステップにより送信されたアクセス履歴の管理を行うアクセス履歴管理ステップとを実行し、前記アクセス情報は、前記アクセス履歴管理ステップにより管理されたアクセス履歴に基づいて作成されることを特徴とするものである。
【発明の効果】
【００１９】
本発明によれば、ユーザ毎にサイトリストとサイトリスト内のサイトに関するアクセス情報とを一元管理することにより、ユーザは正確に既読／未読の判断を行うことができる。
【発明を実施するための最良の形態】
【００２０】
以下、本発明の実施の形態について図面を参照しつつ説明する。
【００２１】
まず、本実施の形態に係るサイトリストサーバ（サイトリスト管理装置）を用いたサイトリスト管理システムの構成について説明する。
【００２２】
図１は、本実施の形態に係るサイトリスト管理システムの構成の一例を示すブロック図である。このサイトリスト管理システムは、クライアント１、サイトリストサーバ２、Ｗｅｂサーバ３がネットワークを介して接続されたものである。クライアント１は、ＲＳＳ（Rich Site Summary）リーダ５を備え、例えば、携帯電話、ＰＤＡ、ＴＶ、ＰＣ、カーナビなどである。
【００２３】
サイトリストサーバ２は、ユーザ認証部２１、サイトリスト作成部２２、ユーザ管理テーブル３１、サイトリスト３２、アクセス履歴テーブル３３、ランキングテーブル３４、アクセス環境判定テーブル３５を備える。サイトリストサーバ２は、予めユーザ管理テーブル３１に登録されたユーザとユーザ毎のサイトリストを管理する。図２は、予めサイトリストサーバ２に登録されたサイトリストの一例を示すソースコードである。サイトリストは、例えば、ＯＰＭＬ（Outline Processor Markup Language）で記述される。サイトリストは、フィード（ＲＳＳ）のリストを含む。各フィードは、フィードＵＲＬを含む。
【００２４】
Ｗｅｂサーバ３は、クライアント１やサイトリストサーバ２に対してフィード４１やアイテム４２を公開する。フィードは、アイテム（記事）のリストを含む。各アイテムは、アイテムＵＲＬ、タイトル、作成時刻などを含む。なお、フィード４１やアイテム４２は、複数存在していても良く、それぞれ異なるＷｅｂサーバ３に存在していても良い。
【００２５】
次に、サイトリスト管理システムにおけるＲＳＳリーダ５の起動時の動作について説明する。
【００２６】
図３は、本実施の形態に係るサイトリスト管理システムのＲＳＳリーダ５起動時の動作の一例を示すフローチャートである。まず、クライアント１において、ユーザの指示に従ってＲＳＳリーダ５が起動すると（Ｓ１１）、ＲＳＳリーダ５は、サイトリストサーバ２へ接続する。サイトリストサーバ２のユーザ認証部２１は、ユーザ管理テーブル３１におけるユーザＩＤとパスワードを用いてユーザの認証を行い、このユーザの接続のロックを行い、ユーザ管理テーブル３１におけるロックフラグをセットする（Ｓ１２）。このロックにより、同一のユーザアカウントでサイトリストサーバ２への複数の接続を行うことはできないようにする。
【００２７】
図４は、本実施の形態に係るユーザ管理テーブル３１の一例を示す表である。このユーザ管理テーブル３１は、ユーザ毎のレコードを持つ。また、各レコードは、ユーザＩＤ、パスワード、サイトリストＩＤ、アクセス履歴テーブルＩＤ、ロックフラグのフィールドを持つ。ユーザＩＤ、パスワードは、ユーザの認証に用いられる。サイトリストＩＤは、対応するユーザにより予め登録されたサイトリストのＩＤである。アクセス履歴テーブルＩＤは、対応するユーザのアクセス履歴テーブルのＩＤである。ロックフラグは、対応するユーザが接続中であるか否かを表す。
【００２８】
図５は、本実施の形態に係るアクセス履歴テーブル３３の一例を示す表である。このアクセス履歴テーブル３３は、ユーザ毎に存在し、そのユーザによるアイテムへのアクセス履歴を表す。また、このアクセス履歴テーブル３３は、アイテムへのアクセス毎のレコードを持つ。また、各レコードは、アクセス時刻、クライアントタイプ、アクセス速度、アクセスフィードＵＲＬ、アクセスアイテムＵＲＬ、アクセスタイプ、アクセスＵＲＬタイトル、アクセスＵＲＬカテゴリ、アクセスＵＲＬ作成時刻のフィールドを持つ。
【００２９】
アクセス時刻は、アクセスが行われた時刻を表す。クライアントタイプは、アクセスを行ったクライアント１を所定のタイプに分類したものである。例えば、クライアントタイプは、“Ｍ”（携帯電話），“Ｐ”（ＰＣ），“Ｃ”（カーナビ）の３種類に分類される。アクセス速度は、アクセス時のデータレート［ｂｐｓ］を所定の範囲に分類したものである。例えば、アクセス速度は、“９６００”（アクセス速度が１００ｋｂｐｓ未満である場合），“１０Ｍ”（アクセス速度が１００ｋｂｐｓ以上である場合）の２種類に分類される。
【００３０】
アクセスフィードＵＲＬは、アクセスしたアイテムを含むフィードのＵＲＬを表す。アクセスアイテムＵＲＬは、アクセスしたアイテムのＵＲＬを表す。アクセスタイプは、最終アクセスであるか否かを表し、最終アクセスであれば値を“Ｌａｓｔ”とし、そうでなければ値を０とする。アクセスＵＲＬタイトルは、アクセスしたＵＲＬから取得した記事のタイトルを表す。アクセスＵＲＬカテゴリは、アクセスしたＵＲＬから取得した記事のカテゴリを表す。アクセスＵＲＬ作成時刻は、アクセスしたＵＲＬから取得した記事の作成時刻を表す。
【００３１】
次に、サイトリストサーバ２は、アクセスを行ったクライアント１の環境であるアクセス環境を取得する（Ｓ１３）。まず、サイトリストサーバ２は、クライアント１からのリクエストのヘッダ部分を解析することにより、クライアントタイプを判定する。クライアント１がＰＣである場合、ヘッダ部分には、ＯＳ（Operating System）名、表示エンジン名、ブラウザ名などが含まれ、クライアント１が携帯電話である場合、ヘッダ部分には、キャリア名、機種名などが含まれる。サイトリストサーバ２は、予めヘッダ部分に用いられる可能性のある文字列とクライアントタイプを対応付けたアクセス環境判定テーブル３５を持ち、受信したリクエストのヘッダ部分からアクセス環境判定テーブル３５中の文字列を検索し、クライアントタイプを判定する。
【００３２】
また、サイトリストサーバ２は、クライアント１とのパケットの受け渡しにより、アクセス速度を測定する。更に、サイトリストサーバ２は、現在時刻を取得する。このように、サイトリストサーバ２は、取得した現在のアクセス環境（現在時刻、クライアントタイプ、アクセス速度）を記憶する。
【００３３】
次に、サイトリストサーバ２は、アクセスプロファイル付きサイトリスト（アクセス情報付きサイトリスト）の作成を行う（Ｓ１４）。ここで、サイトリストサーバ２は、サイトリストに対してランキング処理を行う。
【００３４】
まず、サイトリストサーバ２は、ユーザ管理テーブル３１において接続しているユーザのレコードを参照し、サイトリストＩＤに対応するサイトリストと、アクセス履歴テーブルＩＤに対応するアクセス履歴テーブル３３を取得する。次に、サイトリストサーバ２は、現在のアクセス環境（現在時刻、クライアントタイプ、アクセス速度）とアクセス履歴テーブル３３におけるアクセス環境（アクセス時刻、クライアントタイプ、アクセス速度）とに基づいて、サイトリストにおけるフィード毎の得点Ｘを算出する。
【００３５】
まず、サイトリストサーバ２は、アクセス履歴テーブル３３におけるクライアントタイプを参照し、現在のクライアントタイプと同じクライアントタイプを持つレコードがあれば、そのレコードのアクセスＵＲＬに対応するフィードの得点Ｘに所定の値αを加点する。また、サイトリストサーバ２は、アクセス履歴テーブル３３におけるアクセス速度を参照し、現在のユーザのアクセス速度と同じアクセス速度を持つレコードがあれば、そのレコードのアクセスＵＲＬに対応するフィードの得点Ｘに所定の値βを加点する。また、サイトリストサーバ２は、アクセス履歴テーブル３３におけるアクセス時刻を参照し、現在時刻の曜日と時間帯と比較して同じ曜日と時間帯を持つレコードがあれば、そのレコードのアクセスＵＲＬに対応するフィードの得点Ｘに所定の値γを加点する。
【００３６】
次に、サイトリストサーバ２は、アクセス履歴テーブル３３におけるアクセス時刻とアイテムの作成時刻を参照し、θ＝（現在時刻−アクセス時刻）×（アクセス時刻−作成時刻）とする。ここで、α＞β＞γ＞０とする。次に、サイトリストサーバ２は、全てのフィードについてフィード評価値Ｒ＝Ｘ／θを算出する。次に、サイトリストサーバ２は、算出されたＲの値とアクセス履歴テーブル３３に基づいて、最もＲの高いフィードに含まれるカテゴリを取得し、そのカテゴリと同じカテゴリを含むフィードの得点Ｒに所定の値ηを加点し、Ｒの値を更新する。ここで、α＞β＞γ＞η＞０とする。次に、サイトリストサーバ２は、サイトリスト中のフィードとＲの値を、ランキングテーブル３４として記憶し、フィードをＲの降順でソートする。ここで、Ｒが所定の値より小さいフィードは、ランキングテーブル３４から除外する。ここでは、加点の対象として、最もＲの高いフィードのカテゴリを選択したが、Ｒが所定の値より高いフィードのカテゴリを選択しても良い。
【００３７】
なお、本実施の形態において、サイトリストサーバ２は、接続しているユーザのアクセス履歴テーブル３３を参照し、Ｒの算出を行ったが、他のユーザのアクセス履歴テーブル３３を参照し、Ｒの算出を行っても良い。この場合、アクセス履歴テーブル３３に同じフィードＵＲＬを持つユーザのアクセス履歴テーブル３３や、同じアクセス環境を持つユーザのアクセス履歴テーブル３３を参照することにより、同じような好みやアクセス環境に適したサイトリストを作成することができる。
【００３８】
次に、サイトリストサーバ２は、サイトリスト３２とランキングテーブル３４に基づいて、Ｒの降順でソートされたフィード毎に、Ｒの値とアクセスプロファイル部分を付加することにより、アクセスプロファイル付きサイトリストを作成する。図６は、本実施の形態に係るアクセスプロファイル付きサイトリストの一例を示すソースコードである。この図は、図２のサイトリストを元にしたアクセスプロファイル付きサイトリストを示す。まず、フィード毎に、“ｒａｎｋ”としてフィード評価値Ｒの値が付加される。次に、フィード毎に、そのフィード内のアイテムへのアクセスに関する情報を表すアクセスプロファイル部分（“＜！−”から“−＞”までの部分）が付加される。アクセスプロファイル部分には、アクセス時刻“Ａｃｃｅｓｓ＿ｄａｔｅ”，クライアントタイプ“Ｃｌｉｅｎｔ＿ｔｙｐｅ”，アクセス速度“ｂｐｓ＿ｒａｔｅ”，最新アイテムＵＲＬ“Ｌａｓｔ＿ｉｔｅｍ”，既読アイテム番号“Ａｃｃｅｓｓｅｄ＿ｉｔｅｍ”が付加される。
【００３９】
アクセス時刻は、最後にアクセスされた時刻である。クライアントタイプは、上述したクライアントタイプに分類され、クライアントタイプ毎のアクセス回数が記録される。アクセス速度は、予め定められたアクセス速度範囲に分類され、アクセス速度範囲毎のアクセス回数が記録される。ここで、サイトリストサーバ２は、アクセス履歴テーブル３３を参照し、サイトリスト内のフィード毎に、クライアントタイプ毎のアクセス回数とアクセス速度毎のアクセス回数を集計し、アクセスプロファイル部分に記録する。
【００４０】
最新アイテムＵＲＬは、このフィードにおける最新のアイテムのＵＲＬを表す。既読アイテム番号は、このフィードにおいて新しいアイテムから順にアイテム番号を付けておき（最新アイテムを０とする）、そのうち既読アイテムのアイテム番号だけを列挙したものである。
【００４１】
次に、サイトリストサーバ２は、アクセスプロファイル付きサイトリストをクライアント１へ送信し（Ｓ１５）、このフローを終了する。次に、クライアント１のＲＳＳリーダ５は、受信したアクセスプロファイル付きサイトリストに従って表示を行う。
【００４２】
次に、クライアント１のＲＳＳリーダ５による記事の表示の動作について説明する。
【００４３】
図７は、本実施の形態に係るＲＳＳリーダ５による表示の動作の一例を示すフローチャートである。図８は、本実施の形態に係るＲＳＳリーダ５による表示の一例を示す画面である。この画面は、メニュー表示部１１、フィード一覧表示部１２、アイテム一覧表示部１３、アイテム内容表示部１４から構成される。メニュー表示部１１は、ＲＳＳリーダ５のメニューを表示する。まず、ＲＳＳリーダ５は、アクセスプロファイル付きサイトリスト内のフィードの一覧をフィード一覧表示部１２に表示する（Ｓ３１）。各フィードのタイトルには、Ｒの値が付加される。また、上述したランキング処理により、フィードはＲの大きいものから順に並んでいる。ここで、各フィードのタイトルに、未読アイテム数が付加されても良い。次に、フィード一覧表示部１２上のユーザの操作により１つのフィードが選択されると、ＲＳＳリーダ５は、アクセスプロファイル付きサイトリストに基づいて対応するフィードＵＲＬのＷｅｂサーバ３にアクセスしてフィードを取得し、取得したフィード内のアイテムのタイトルの一覧をアイテム一覧表示部１３に表示する（Ｓ３２）。
【００４４】
ここで、ＲＳＳリーダ５は、選択されたフィードのアクセスプロファイル部分の最新アイテムＵＲＬと既読アイテム番号に基づいて、フィード内の各アイテムについて既読／未読の判定を行う。ここで、ＲＳＳリーダ５は、フィード内のアイテムから最新アイテムＵＲＬを持つアイテムを検索して最新アイテムとし、最新アイテムより新しいアイテムは全て未読と判定する。また、ＲＳＳリーダ５は、最新アイテムより古いアイテムについて、最新アイテムから数えて既読アイテム番号に位置するアイテムを既読と判定する。アイテム一覧表示部１３において、未読アイテムは、例えば大きいアイコン“●”や太字や濃い色などで表示され、既読アイテムは、例えば小さいアイコン“・”や細字や薄い色などで表示される。フィードは、通常、新しいアイテムが上位に追加されるので、アイテムは新しいものから順に並んでいるが、フィードにおけるアイテムの作成時刻を参照して、アイテムの順番を判定しても良い。
【００４５】
次に、アイテム一覧表示部１３上のユーザの操作により１つのアイテムが選択されると、ＲＳＳリーダ５は、フィードに基づいて選択されたアイテムに対応するＷｅｂサーバ３のアイテムＵＲＬにアクセスしてアイテムを取得し、アイテムの内容（記事）をアイテム内容表示部１４に表示する（Ｓ３３）。
【００４６】
次に、ＲＳＳリーダ５は、アクセスされたアイテムを含むフィードのアクセスプロファイル部分の更新を行い（Ｓ３４）、このフローを終了する。また、ユーザの操作に従って処理Ｓ３２，Ｓ３３，Ｓ３４は繰り返される。ここで、ＲＳＳリーダ５は、該当するアクセスプロファイル部分のアクセス時刻を更新する。また、ＲＳＳリーダ５は、該当するアクセスプロファイル部分のクライアントタイプのカウンタのうち、現在のクライアントタイプに対応するカウンタをインクリメントする。また、ＲＳＳリーダ５は、該当するアクセスプロファイル部分のアクセス速度のカウンタのうち、現在のアクセス速度に対応するカウンタをインクリメントする。また、ＲＳＳリーダ５は、該当するアクセスプロファイル部分の最新アイテムＵＲＬを更新する。また、ＲＳＳリーダ５は、該当するアクセスプロファイル部分の既読アイテム番号を更新する。即ち、最新アイテムＵＲＬを０として既読アイテム番号を数えなおして記録する。
【００４７】
次に、サイトリスト管理システムにおけるＲＳＳリーダ５の終了時の動作について説明する。
【００４８】
図９は、本実施の形態に係るサイトリスト管理システムのＲＳＳリーダ５終了時の動作の一例を示すフローチャートである。まず、クライアント１において、ユーザによりＲＳＳリーダ５の終了の指示が行われると（Ｓ５１）、ＲＳＳリーダ５は、サイトリストサーバ２へ接続し、更新されたアクセスプロファイル付きサイトリストをサイトリストサーバ２へ送信する（Ｓ５３）。
【００４９】
次に、サイトリストサーバ２は、クライアント１から受信したアクセスプロファイル付きサイトリストからアクセスプロファイル部分を取得し、アクセス履歴テーブル３３に反映する（Ｓ５４）。
【００５０】
ここで、サイトリストサーバ２は、アクセスプロファイル付きサイトリストのフィードのＵＲＬとアイテムＵＲＬ、アクセスプロファイル部分の最新アイテムＵＲＬと既読アイテム番号に基づいて、クライアント１のＲＳＳリーダ５がアクセスしたアイテムにアクセスを行う。次に、サイトリストサーバ２は、アクセスの結果からアイテムのタイトルと本文を取得する。次に、サイトリストサーバ２は、特許文献２や特許文献３の技術を用いて、取得した本文の自動分類を行い、アイテムのカテゴリを決定する。次に、サイトリストサーバ２は、得られたフィードのＵＲＬとアイテムのＵＲＬ、アイテムのタイトル、アイテムのカテゴリを、それぞれアクセスフィードＵＲＬ、アクセスフィードＵＲＬ、アクセスＵＲＬタイトル、アクセスＵＲＬカテゴリとして、アクセス履歴テーブル３３に記録する。
【００５１】
次に、サイトリストサーバ２は、クライアント１のユーザの接続のアンロックを行い（Ｓ５５）、このフローを終了する。
【００５２】
なお、本実施の形態においては、ＲＳＳリーダ５がアクセスプロファイル付きサイトリストを更新し、サイトリストサーバ２にアップロードするとしたが、ＲＳＳリーダ５が、アクセスプロファイル部分に関する情報だけをサイトリストサーバ２にアップロードしても良い。また、ＲＳＳリーダ５が、アイテムＵＲＬへのアクセス履歴だけをサイトリストサーバ２にアップロードし、サイトリストサーバがこのアクセス履歴を用いてアクセス履歴テーブル３３を更新しても良い。
【００５３】
また、本実施の形態においては、サイトリストサーバ２がＲの降順にフィードの並べ替えを行い、アクセスプロファイル付きサイトリストを作成したが、サイトリストサーバ２がフィードの並べ替えを行わず、ＲＳＳリーダ５が表示の際にフィード毎に付加されたＲの値を用いてフィードの並べ替えを行っても良い。
【００５４】
本実施の形態によれば、サイトリストサーバ２が、サイトリストにアクセスプロファイルを付加してクライアント１に提供することにより、ユーザは、アクセス環境に関わらず同一のサイトリスト用いることができるとともに、正確に既読／未読の判断を行うことができる。また、サイトリストサーバ２が、アクセス環境やカテゴリに基づいてランキング処理を行うことにより、ユーザは、アクセス環境や好みに適したサイトリストを閲覧することができる。また、サイトリスト以外にサイトリストサーバ２からクライアント１へ送信する情報は、最新アイテムＵＲＬと既読アイテム番号などの少ない情報だけで良い。
【００５５】
また、本実施の形態に係るサイトリスト管理装置は、サーバに容易に適用することができ、サーバの性能をより高めることができる。
【００５６】
更に、サイトリスト管理装置を構成するコンピュータにおいて上述した各ステップを実行させるプログラムを、サイトリスト管理プログラムとして提供することができる。上述したプログラムは、コンピュータにより読取り可能な記録媒体に記憶させることによって、サイトリスト管理装置を構成するコンピュータに実行させることが可能となる。ここで、上記コンピュータにより読取り可能な記録媒体としては、ＲＯＭやＲＡＭ等のコンピュータに内部実装される内部記憶装置、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。
【００５７】
なお、ユーザ認証ステップは、実施の形態における処理Ｓ１２に対応する。また、サイトリスト作成ステップは、実施の形態における処理Ｓ１３，Ｓ１４に対応する。また、アクセス履歴送信ステップは、実施の形態における処理Ｓ５３に対応する。また、アクセス履歴管理ステップは、実施の形態における処理Ｓ５４に対応する。
【００５８】
（付記１）  サイトリストの管理をコンピュータに実行させるサイトリスト管理プログラムであって、
接続されたクライアントのユーザの認証を行うユーザ認証ステップと、
前記ユーザ認証ステップで認証されたユーザにより予め登録されたサイトリストに基づいて、該サイトリストに含まれたサイトに関するアクセスの情報であるアクセス情報を含むサイトリストを、アクセス情報付きサイトリストとして作成するサイトリスト作成ステップと、
をコンピュータに実行させるサイトリスト管理プログラム。
（付記２）  付記１に記載のサイトリスト管理プログラムであって、
前記サイトリスト作成ステップは、前記アクセス情報付きサイトリストに示されたサイトに関するアクセス履歴を前記クライアントから取得し、該アクセス履歴の管理を行い、該アクセス履歴に基づいて前記アクセス情報を作成することを特徴とするサイトリスト管理プログラム。
（付記３）  付記２に記載のサイトリスト管理プログラムであって、
前記サイトは、フィードであり、
前記アクセス履歴は、該フィード内のアイテムへのアクセスの履歴を含むことを特徴とするサイトリスト管理プログラム。
（付記４）  付記３に記載のサイトリスト管理プログラムであって、
前記アクセス履歴は、クライアントによるアクセスの環境であるアクセス環境を含むことを特徴とするサイトリスト管理プログラム。
（付記５）  付記４に記載のサイトリスト管理プログラムであって、
前記サイトリスト作成ステップは、前記アクセス履歴に基づいてサイト毎に評価値を付与し、該評価値を前記アクセス情報付きサイトリストに含めることを特徴とするサイトリスト管理プログラム。
（付記６）  付記４に記載のサイトリスト管理プログラムであって、
前記サイトリスト作成ステップは、前記アクセス履歴に基づいてサイト毎に評価値を付与し、該評価値に基づいて前記アクセス情報付きサイトリスト内のサイトの並べ替えを行うことを特徴とするサイトリスト管理プログラム。
（付記７）  付記５または付記６に記載のサイトリスト管理プログラムであって、
前記サイトリスト作成ステップは、現在のアクセス環境を取得し、前記アクセス履歴におけるアクセス環境が前記現在のアクセス環境に一致するサイトの評価値を増加させることを特徴とするサイトリスト管理プログラム。
（付記８）  付記５乃至付記７のいずれかに記載のサイトリスト管理プログラムであって、
前記サイトリスト作成ステップは、前記評価値が所定の条件を満たすサイトに含まれるカテゴリを取得し、該カテゴリと同一のカテゴリを含むサイトの評価値を増加させることを特徴とするサイトリスト管理プログラム。
（付記９）  付記４乃至付記８のいずれかに記載のサイトリスト管理プログラムであって、
前記アクセス環境は、クライアントタイプ、アクセス速度、アクセス時間帯のいずれかを含むことを特徴とするサイトリスト管理プログラム。
（付記１０）  付記３乃至付記９のいずれかに記載のサイトリスト管理プログラムであって、
前記サイトリスト作成ステップは、前記ユーザ認証ステップで認証されたユーザによるフィード内のアイテムへのアクセスの有無を識別するための情報をアクセス情報とすることを特徴とするサイトリスト管理プログラム。
（付記１１）  サイトリストの管理を行うサイトリスト管理装置であって、
接続されたクライアントのユーザの認証を行うユーザ認証部と、
前記ユーザ認証部で認証されたユーザにより予め登録されたサイトリストに基づいて、該サイトリストに含まれたサイトに関するアクセスの情報であるアクセス情報を含むサイトリストを、アクセス情報付きサイトリストとして作成するサイトリスト作成部と、
を備えるサイトリスト管理装置。
（付記１２）  サイトリストの管理を行うサイトリスト管理方法であって、
サイトリスト管理装置において、接続されたクライアントのユーザの認証を行うユーザ認証ステップと、
前記サイトリスト管理装置において、前記ユーザ認証ステップで認証されたユーザにより予め登録されたサイトリストに基づいて、該サイトリストに含まれたサイトに関するアクセスの情報であるアクセス情報を含むサイトリストを、アクセス情報付きサイトリストとして作成するサイトリスト作成ステップと、
を実行するサイトリスト管理方法。
（付記１３）  付記１２に記載のサイトリスト管理方法であって、
更に、前記サイトリスト作成ステップの後、
前記クライアントにおいて、前記サイトリスト作成ステップにより作成されたアクセス情報付きサイトリストを取得し、該アクセス情報付きサイトリストに含まれたサイトに関するアクセスを行い、該アクセスに関するアクセス履歴を前記サイトリスト管理装置へ送信するアクセス履歴送信ステップと、
前記サイトリスト管理装置において、前記アクセス履歴送信ステップにより送信されたアクセス履歴の管理を行うアクセス履歴管理ステップと、
を実行し、
前記アクセス情報は、前記アクセス履歴管理ステップにより管理されたアクセス履歴に基づいて作成されることを特徴とするサイトリスト管理方法。
（付記１４）  付記１３に記載のサイトリスト管理方法であって、
前記サイトは、フィードであり、
前記アクセス履歴は、該フィード内のアイテムへのアクセスの履歴を含むことを特徴とするサイトリスト管理方法。
（付記１５）  付記１４に記載のサイトリスト管理方法であって、
前記アクセス履歴は、クライアントによるアクセスの環境であるアクセス環境を含むことを特徴とするサイトリスト管理方法。
（付記１６）  付記１５に記載のサイトリスト管理方法であって、
前記サイトリスト作成ステップは、前記アクセス履歴に基づいてサイト毎に評価値を付与し、該評価値を前記アクセス情報付きサイトリストに含めることを特徴とするサイトリスト管理方法。
（付記１７）  付記１５に記載のサイトリスト管理方法であって、
前記サイトリスト作成ステップは、前記アクセス履歴に基づいてサイト毎に評価値を付与し、該評価値に基づいて前記アクセス情報付きサイトリスト内のサイトの並べ替えを行うことを特徴とするサイトリスト管理方法。
（付記１８）  付記１６または付記１７に記載のサイトリスト管理方法であって、
前記サイトリスト作成ステップは、現在のアクセス環境を取得し、前記アクセス履歴におけるアクセス環境が前記現在のアクセス環境に一致するサイトの評価値を増加させることを特徴とするサイトリスト管理方法。
（付記１９）  付記１６乃至付記１８のいずれかに記載のサイトリスト管理方法であって、
前記サイトリスト作成ステップは、前記評価値が所定の条件を満たすサイトに含まれるカテゴリを取得し、該カテゴリと同一のカテゴリを含むサイトの評価値を増加させることを特徴とするサイトリスト管理方法。
（付記２０）  付記１４乃至付記１９のいずれかに記載のサイトリスト管理方法であって、
前記サイトリスト作成ステップは、前記ユーザ認証ステップで認証されたユーザによるフィード内のアイテムへのアクセスの有無を識別するための情報をアクセス情報とすることを特徴とするサイトリスト管理方法。
【図面の簡単な説明】
【００５９】
【図１】本実施の形態に係るサイトリスト管理システムの構成の一例を示すブロック図である。
【図２】予めサイトリストサーバ２に登録されたサイトリストの一例を示すソースコードである。
【図３】本実施の形態に係るサイトリスト管理システムのＲＳＳリーダ５起動時の動作の一例を示すフローチャートである。
【図４】本実施の形態に係るユーザ管理テーブル３１の一例を示す表である。
【図５】本実施の形態に係るアクセス履歴テーブル３３の一例を示す表である。
【図６】本実施の形態に係るアクセスプロファイル付きサイトリストの一例を示すソースコードである。
【図７】本実施の形態に係るＲＳＳリーダ５による表示の動作の一例を示すフローチャートである。
【図８】本実施の形態に係るＲＳＳリーダ５による表示の一例を示す画面である。
【図９】本実施の形態に係るサイトリスト管理システムのＲＳＳリーダ５終了時の動作の一例を示すフローチャートである。
【符号の説明】
【００６０】
１  クライアント、２  サイトリストサーバ、３  Ｗｅｂサーバ、５  ＲＳＳリーダ、２１  ユーザ認証部、２２  サイトリスト作成部、３１  ユーザ管理テーブル、３２  サイトリスト、３３  アクセス履歴テーブル、３４  ランキングテーブル、３５  アクセス環境判定テーブル、４１  フィード、４２  アイテム、１１  メニュー表示部、１２  フィード一覧表示部、１３  アイテム一覧表示部、１４  アイテム内容表示部。
【図１】
0004739102.tif 000002
【図２】
0004739102.tif 000003
【図３】
0004739102.tif 000004
【図４】
0004739102.tif 000005
【図５】
0004739102.tif 000006
【図６】
0004739102.tif 000007
【図７】
0004739102.tif 000008
【図８】
0004739102.tif 000009
【図９】
0004739102.tif 000010